(57)【要約】【課題】予め定められた規則に従って給紙元を切り替える場合に生じるユーザーの手間を軽減可能な給紙装置、画像形成装置、及び給紙方法を提供すること。【解決手段】画像形成装置は、給紙条件を個別に設定可能な複数のシート載置部を備えており、印刷処理の実行指示が入力された場合であって給紙元が設定済でない場合に（ステップＳ３１のＹｅｓ、ステップＳ３２のＮｏ）、特定情報を取得し（ステップＳ３３）、給紙条件が設定されたシート載置部各々について当該シート載置部に対応する給紙条件を充足するか否かを取得された特定情報に基づいて判断し（ステップＳ３４）、給紙条件を充足するシート載置部を給紙元に設定して印刷処理を実行する（ステップＳ３５のＹｅｓ、ステップＳ３６、ステップＳ３７）。【選択図】図５
2019147665.tif 000002
【特許請求の範囲】
【請求項１】
給紙条件を個別に設定可能な複数のシート載置部と、
現在の日時に関する日時情報を取得する取得処理部と、
前記給紙条件が設定された前記シート載置部各々について当該シート載置部に対応する前記給紙条件を充足するか否かを、前記取得処理部によって取得された前記日時情報に基づいて判断する判断処理部と、
前記判断処理部によって前記給紙条件を充足すると判断された前記シート載置部からシートを供給する供給処理部と、
を備える給紙装置。
【請求項２】
給紙条件を個別に設定可能な複数のシート載置部と、
現在の気象に関する気象情報を取得する取得処理部と、
前記給紙条件が設定された前記シート載置部各々について当該シート載置部に対応する前記給紙条件を充足するか否かを、前記取得処理部によって取得された前記気象情報に基づいて判断する判断処理部と、
前記判断処理部によって前記給紙条件を充足すると判断された前記シート載置部からシートを供給する供給処理部と、
を備える給紙装置。
【請求項３】
給紙条件を個別に設定可能な複数のシート載置部と、
ユーザーに関するユーザー情報を取得する取得処理部と、
前記給紙条件が設定された前記シート載置部各々について当該シート載置部に対応する前記給紙条件を充足するか否かを、前記取得処理部によって取得された前記ユーザー情報に基づいて判断する判断処理部と、
前記判断処理部によって前記給紙条件を充足すると判断された前記シート載置部からシートを供給する供給処理部と、
を備える給紙装置。
【請求項４】
前記供給処理部は、前記判断処理部によって前記給紙条件を充足すると判断された前記シート載置部が存在しない場合に、前記給紙条件が設定されていない前記シート載置部からシートを供給する、
請求項１〜３のいずれかに記載の給紙装置。
【請求項５】
前記供給処理部は、前記判断処理部によって前記給紙条件を充足すると判断された前記シート載置部が存在しない場合であって、前記給紙条件が設定されていない前記シート載置部が存在しない場合に、ユーザーの操作によって指定された前記シート載置部からシートを供給する、
請求項４に記載の給紙装置。
【請求項６】
ユーザーの操作に応じて前記シート載置部に前記給紙条件を設定する設定処理部と、
前記設定処理部によって前記シート載置部に設定された前記給紙条件と他の前記シート載置部に設定されている前記給紙条件とが重複する場合にその旨を報知する第１報知処理部と、
を備える請求項１〜５のいずれかに記載の給紙装置。
【請求項７】
前記第１報知処理部による報知後に受け付けられる互いの前記給紙条件が重複する二つの前記シート載置部のいずれかを選択する選択操作に応じて、いずれか一方の前記シート載置部に対応する前記給紙条件から他方の前記シート載置部に対応する前記給紙条件と重複する部分を除外する変更処理部を備える、
請求項６に記載の給紙装置。
【請求項８】
前記判断処理部は、前記供給処理部によるシートの供給処理における給紙元である前記シート載置部に前記給紙条件が設定されている場合に、前記供給処理の実行中に前記給紙条件が設定された前記シート載置部各々について当該シート載置部に対応する前記給紙条件を充足するか否かを判断し、
前記給紙装置は、前記供給処理の実行中に給紙元である前記シート載置部について当該シート載置部に対応する前記給紙条件を充足しないと判断された場合に、前記供給処理の実行中に給紙元を前記給紙条件を充足する他の前記シート載置部に切り替え可能な切替処理部を備える、
請求項１〜７のいずれかに記載の給紙装置。
【請求項９】
前記供給処理の実行中に給紙元である前記シート載置部について当該シート載置部に対応する前記給紙条件を充足しないと判断された場合であって、前記給紙条件を充足する他の前記シート載置部が存在しない場合に、前記供給処理を中断させて給紙元となる前記シート載置部を指定するユーザーの操作を受け付ける受付処理部を備える、
請求項８に記載の給紙装置。
【請求項１０】
前記供給処理部は、ユーザーの操作によってシートの供給処理における給紙元となる前記シート載置部が指定された場合に、当該指定に係る前記シート載置部からシートを供給し、
前記判断処理部は、ユーザーの操作によって給紙元として指定された前記シート載置部に前記給紙条件が設定されている場合に、前記給紙条件が設定された前記シート載置部各々について当該シート載置部に対応する前記給紙条件を充足するか否かを判断し、
前記給紙装置は、ユーザーの操作によって給紙元として指定された前記シート載置部について当該シート載置部に対応する前記給紙条件を充足しないと判断された場合に、その旨及び前記給紙条件を充足する他の前記シート載置部を報知する第２報知処理部を備える、
請求項１〜９のいずれかに記載の給紙装置。
【請求項１１】
前記シート載置部へのシートの補充を検出する検出処理部を備え、
前記判断処理部は、前記検出処理部によってシートの補充が検出された前記シート載置部に前記給紙条件が設定されている場合に、前記給紙条件が設定された前記シート載置部各々について当該シート載置部に対応する前記給紙条件を充足するか否かを判断し、
前記給紙装置は、シートの補充が検出された前記シート載置部について当該シート載置部に対応する前記給紙条件を充足しないと判断された場合に、その旨及び前記給紙条件を充足する他の前記シート載置部を報知する第３報知処理部を備える、
請求項１〜１０のいずれかに記載の給紙装置。
【請求項１２】
請求項１〜１１のいずれかに記載の給紙装置と、
前記給紙装置によって供給されるシートに画像を形成する画像形成部と、
を備える画像形成装置。
【請求項１３】
給紙条件を個別に設定可能な複数のシート載置部を備える給紙装置で実行される給紙方法であって、
現在の日時に関する日時情報、現在の気象に関する気象情報、又はユーザーに関するユーザー情報を取得することと、
前記給紙条件が設定された前記シート載置部各々について当該シート載置部に対応する前記給紙条件を充足するか否かを、取得された前記日時情報、前記気象情報、又は前記ユーザー情報に基づいて判断することと、
前記給紙条件を充足すると判断された前記シート載置部からシートを供給することと、
を含む給紙方法。
【発明の詳細な説明】
【技術分野】
【０００１】
本発明は、給紙装置、画像形成装置、及び給紙装置で実行される給紙方法に関する。
【背景技術】
【０００２】
プリンターのような画像形成装置では、給紙カセットのようなシート載置部から供給されるシートに画像が形成される。また、複数のシート載置部を備える画像形成装置では、予めユーザーによって給紙元として指定されたシート載置部からシートが供給される（例えば、特許文献１参照）。
【先行技術文献】
【特許文献】
【０００３】
【特許文献１】特開２００９−２７４８１８号公報
【発明の概要】
【発明が解決しようとする課題】
【０００４】
ところで、画像形成装置のユーザーは、印刷する時間帯などに応じて給紙元を切り替えたいと考えることがある。例えば、午前と午後とでシートの様式を切り替えるケースが考えられる。しかしながら、従来の画像形成装置では、ユーザーが、印刷の実行を指示するタイミングごとにその時の時刻に基づいて当該時刻に対応するシート載置部を判断し、当該時刻に対応するシート載置部を給紙元として指定する必要がある。
【０００５】
本発明の目的は、予め定められた規則に従って給紙元を切り替える場合に生じるユーザーの手間を軽減可能な給紙装置、画像形成装置、及び給紙方法を提供することにある。
【課題を解決するための手段】
【０００６】
本発明の一の局面に係る給紙装置は、複数のシート載置部と、取得処理部と、判断処理部と、供給処理部と、を備える。複数の前記シート載置部は、給紙条件を個別に設定可能である。前記取得処理部は、現在の日時に関する日時情報を取得する。前記判断処理部は、前記給紙条件が設定された前記シート載置部各々について当該シート載置部に対応する前記給紙条件を充足するか否かを、前記取得処理部によって取得された前記日時情報に基づいて判断する。前記供給処理部は、前記判断処理部によって前記給紙条件を充足すると判断された前記シート載置部からシートを供給する。
【０００７】
本発明の他の局面に係る給紙装置は、複数のシート載置部と、取得処理部と、判断処理部と、供給処理部と、を備える。複数の前記シート載置部は、給紙条件を個別に設定可能である。前記取得処理部は、現在の気象に関する気象情報を取得する。前記判断処理部は、前記給紙条件が設定された前記シート載置部各々について当該シート載置部に対応する前記給紙条件を充足するか否かを、前記取得処理部によって取得された前記気象情報に基づいて判断する。前記供給処理部は、前記判断処理部によって前記給紙条件を充足すると判断された前記シート載置部からシートを供給する。
【０００８】
本発明の他の局面に係る給紙装置は、複数のシート載置部と、取得処理部と、判断処理部と、供給処理部と、を備える。複数の前記シート載置部は、給紙条件を個別に設定可能である。前記取得処理部は、ユーザーに関するユーザー情報を取得する。前記判断処理部は、前記給紙条件が設定された前記シート載置部各々について当該シート載置部に対応する前記給紙条件を充足するか否かを、前記取得処理部によって取得された前記ユーザー情報に基づいて判断する。前記供給処理部は、前記判断処理部によって前記給紙条件を充足すると判断された前記シート載置部からシートを供給する。
【０００９】
本発明の他の局面に係る画像形成装置は、前記給紙装置と、画像形成部とを備える。前記画像形成部は、前記給紙装置によって供給されるシートに画像を形成する。
【００１０】
本発明の他の局面に係る給紙方法は、給紙条件を個別に設定可能な複数のシート載置部を備える給紙装置で実行され、現在の日時に関する日時情報、現在の気象に関する気象情報、又はユーザーに関するユーザー情報を取得することと、前記給紙条件が設定された前記シート載置部各々について当該シート載置部に対応する前記給紙条件を充足するか否かを、取得された前記日時情報、前記気象情報、又は前記ユーザー情報に基づいて判断することと、前記給紙条件を充足すると判断された前記シート載置部からシートを供給することと、を含む。
【発明の効果】
【００１１】
本発明によれば、予め定められた規則に従って給紙元を切り替える場合に生じるユーザーの手間を軽減可能な給紙装置、画像形成装置、及び給紙方法が実現される。
【図面の簡単な説明】
【００１２】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置で実行される給紙条件設定処理の一例を示すフローチャートである。
【図４】図４は、本発明の実施形態に係る画像形成装置で実行される第１給紙元設定処理の一例を示すフローチャートである。
【図５】図５は、本発明の実施形態に係る画像形成装置で実行される第２給紙元設定処理の一例を示すフローチャートである。
【図６】図６は、本発明の実施形態に係る画像形成装置で実行される印刷処理の一例を示すフローチャートである。
【図７】図７は、本発明の実施形態に係る画像形成装置で実行される補充監視処理の一例を示すフローチャートである。
【発明を実施するための形態】
【００１３】
以下、添付図面を参照しながら、本発明の実施形態について説明する。なお、以下の実施形態は、本発明を具体化した一例であって、本発明の技術的範囲を限定するものではない。
【００１４】
［画像形成装置１０の概略構成］
まず、図１及び図２を参照しつつ、本発明の実施形態に係る画像形成装置１０の概略構成について説明する。ここで、図１は画像形成装置１０の構成を示す断面模式図である。
【００１５】
画像形成装置１０は、原稿から画像データを読み取るスキャン機能、及び画像データに基づいて画像を形成するプリント機能と共に、ファクシミリ機能、及びコピー機能などの複数の機能を有する複合機である。なお、本発明は、プリンター装置、ファクシミリ装置、及びコピー機などの画像形成装置に適用可能である。
【００１６】
図１及び図２に示されるように、画像形成装置１０は、ＡＤＦ（自動原稿搬送装置）１、画像読取部２、画像形成部３、給紙部４、制御部５、操作表示部７、及び記憶部８を備える。
【００１７】
ＡＤＦ１は、原稿セット部、複数の搬送ローラー、原稿押さえ、及び排紙部などを備え、画像読取部２によって読み取られる原稿を搬送する。
【００１８】
画像読取部２は、原稿台、光源、複数のミラー、光学レンズ、及びＣＣＤなどを備え、原稿から画像データを読み取ることが可能である。
【００１９】
画像形成部３は、画像読取部２で読み取られた画像データに基づいて、電子写真方式でカラー又はモノクロの画像を形成することが可能である。また、画像形成部３は、外部のパーソナルコンピューター等の情報処理装置から入力された画像データに基づいて、画像を形成することも可能である。具体的に、画像形成部３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。画像形成部３は、給紙部４から供給されるシートに画像を形成する。なお、画像形成部３は、インクジェット方式などの他の画像形成方式で画像を形成可能であってもよい。
【００２０】
給紙部４は、画像形成部３にシートを供給する。図１に示されるように、給紙部４は、給紙カセット４１、手差しトレイ４２、シート搬送路、及び複数の搬送ローラーなどを備える。給紙カセット４１には、画像が形成されるシートが収容される。手差しトレイ４２には、画像が形成されるシートが載置される。例えば、給紙部４によって供給されるシートは、紙、コート紙、ハガキ、封筒、及びＯＨＰシートなどのシート部材である。以下、給紙カセット４１及び手差しトレイ４２を総称して、シート載置部４０と呼称することがある。なお、給紙部４は、給紙カセット４１を複数備えていてもよい。
【００２１】
制御部５は、不図示のＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは、前記ＣＰＵが実行する各種の処理の一時記憶メモリー（作業領域）として使用される揮発性の記憶装置である。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００２２】
操作表示部７は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００２３】
記憶部８は、不揮発性の記憶装置である。例えば、記憶部８は、フラッシュメモリー及びＥＥＰＲＯＭ（登録商標）などの不揮発性メモリ、ＳＳＤ（ソリッドステートドライブ）、又はＨＤＤ（ハードディスクドライブ）などの記憶装置である。
【００２４】
画像形成装置１０では、シートに画像を形成する印刷処理が実行される。前記印刷処理には、当該印刷処理における給紙元として設定されたシート載置部４０から画像形成部３にシートを供給する供給処理が含まれる。画像形成装置１０では、前記印刷処理が実行される場合において、予めユーザーの操作によって当該印刷処理における給紙元となるシート載置部４０が設定されている場合に、当該シート載置部４０からシートが供給される。
【００２５】
ところで、画像形成装置１０のユーザーは、印刷する時間帯などに応じて前記印刷処理において給紙元となるシート載置部４０を切り替えたいと考えることがある。例えば、午前と午後とでシートの様式を切り替えるケースが考えられる。しかしながら、従来の画像形成装置では、ユーザーが、前記印刷処理の実行指示を入力するタイミングごとにその時の時刻に基づいて当該時刻に対応するシート載置部４０を判断し、当該時刻に対応するシート載置部４０を給紙元として設定する必要がある。
【００２６】
これに対し、本発明の実施形態に係る画像形成装置１０では、以下に説明するように、予め定められた規則に従って給紙元を切り替える場合に生じるユーザーの手間を軽減することが可能である。
【００２７】
具体的に、制御部５の前記ＲＯＭには、制御部５の前記ＣＰＵに後述の給紙条件設定処理（図３のフローチャート参照）、第１給紙元設定処理（図４のフローチャート参照）、第２給紙元設定処理（図５のフローチャート参照）、及び補充監視処理（図７のフローチャート参照）を実行させるための給紙元設定プログラムが予め記憶されている。なお、前記給紙元設定プログラムは、ＣＤ、ＤＶＤ、フラッシュメモリーなどのコンピューター読み取り可能な記録媒体に記録されており、前記記録媒体から記憶部８などの記憶装置にインストールされてもよい。
【００２８】
そして、制御部５は、図２に示されるように、設定処理部５１、第１報知処理部５２、変更処理部５３、検出処理部５４、取得処理部５５、判断処理部５６、給紙元設定部５７、印刷処理部５８、第２報知処理部５９、第３報知処理部６０、切替処理部６１、及び受付処理部６２を含む。具体的に、制御部５の前記ＣＰＵは、前記ＲＯＭに記憶された前記給紙元設定プログラムを実行する。これにより、制御部５は、設定処理部５１、第１報知処理部５２、変更処理部５３、検出処理部５４、取得処理部５５、判断処理部５６、給紙元設定部５７、印刷処理部５８、第２報知処理部５９、第３報知処理部６０、切替処理部６１、及び受付処理部６２として機能する。ここに、給紙部４及び制御部５を備える構成が、本発明における給紙装置の一例である。
【００２９】
設定処理部５１は、ユーザーの操作に応じてシート載置部４０に給紙条件を設定する。
【００３０】
ここで、前記給紙条件は、現在の日時に関する条件である。例えば、前記給紙条件は、現在の時刻が午前又は午後に属すること、である。例えば、画像形成装置１０では、一方のシート載置部４０に、現在の時刻が午前に属すること、という内容の前記給紙条件を設定し、他方のシート載置部４０に、現在の時刻が午後に属すること、という内容の前記給紙条件を設定することが可能である。
【００３１】
なお、前記給紙条件は、現在の時刻が予め定められた時間帯に属すること、であってもよい。また、前記給紙条件は、現在の日付が予め定められた曜日に属すること、であってもよい。また、前記給紙条件は、現在の日付が休日又は祝日に属すること、であってもよい。また、前記給紙条件は、現在の日付が予め定められた季節に属すること、であってもよい。また、前記給紙条件は、現在の日付が予め定められた期間に属すること、であってもよい。
【００３２】
例えば、設定処理部５１は、操作表示部７におけるユーザーの操作に応じて、前記給紙条件の設定に用いられる条件設定画面を操作表示部７に表示させる。前記条件設定画面において、ユーザーは、前記給紙条件が設定されるシート載置部４０を指定して、指定されたシート載置部４０に設定される前記給紙条件の内容を入力することが可能である。前記条件設定画面において、ユーザーにより入力内容を確定させる操作が行われると、前記条件設定画面における入力内容に基づいて、シート載置部４０に前記給紙条件が設定される。
【００３３】
例えば、画像形成装置１０では、給紙カセット４１に設定される前記給紙条件の内容を示す情報が格納される第１記憶領域、及び手差しトレイ４２に設定される前記給紙条件の内容を示す情報が格納される第２記憶領域が、予め記憶部８に設けられている。設定処理部５１は、前記条件設定画面で入力された前記給紙条件の内容を示す情報を前記第１記憶領域に格納することで、給紙カセット４１にその内容の前記給紙条件を設定する。また、設定処理部５１は、前記条件設定画面で入力された前記給紙条件の内容を示す情報を前記第２記憶領域に格納することで、手差しトレイ４２にその内容の前記給紙条件を設定する。
【００３４】
第１報知処理部５２は、設定処理部５１によってシート載置部４０に設定された前記給紙条件と、他のシート載置部４０に設定されている前記給紙条件とが重複する場合にその旨を報知する。
【００３５】
例えば、第１報知処理部５２は、設定処理部５１によってシート載置部４０に設定された前記給紙条件と、他のシート載置部４０に設定されている前記給紙条件とが重複する場合に、その旨を示す第１メッセージを操作表示部７に表示させる。また、第１報知処理部５２は、前記第１メッセージと共に、互いの前記給紙条件が重複する二つのシート載置部４０各々の前記給紙条件の内容を操作表示部７に表示させる。
【００３６】
変更処理部５３は、互いの前記給紙条件が重複する二つのシート載置部４０のいずれかを選択する選択操作に応じて、いずれか一方のシート載置部４０に対応する前記給紙条件から他方のシート載置部４０に対応する前記給紙条件と重複する部分を除外する。前記選択操作は、第１報知処理部５２による報知後に受け付けられる。
【００３７】
例えば、第１報知処理部５２は、前記第１メッセージと共に、互いの前記給紙条件が重複する二つのシート載置部４０各々の前記給紙条件の内容をユーザーの操作によって選択可能に表示させる。第１報知処理部５２によって操作表示部７に表示される二つのシート載置部４０各々の前記給紙条件の内容のいずれかを選択する操作が、前記選択操作の一例である。
【００３８】
例えば、変更処理部５３は、前記選択操作で選択されたシート載置部４０の前記給紙条件から他方のシート載置部４０に対応する前記給紙条件と重複する部分を除外する。なお、変更処理部５３は、前記選択操作で選択されていないシート載置部４０の前記給紙条件から他方のシート載置部４０に対応する前記給紙条件と重複する部分を除外してもよい。
【００３９】
なお、制御部５は、変更処理部５３を含んでいなくてもよい。また、制御部５は、第１報知処理部５２及び変更処理部５３を含んでいなくてもよい。また、制御部５は、設定処理部５１、第１報知処理部５２、及び変更処理部５３を含んでいなくてもよい。この場合、画像形成装置１０の出荷前にシート載置部４０各々に対応する前記給紙条件が予め設定されていてよい。
【００４０】
検出処理部５４は、シート載置部４０へのシートの補充を検出する。
【００４１】
例えば、シート載置部４０各々のシート載置面には、当該シート載置面に載置されるシートの重量を検出可能な不図示の重量センサーが設けられている。検出処理部５４は、前記重量センサーによって検出されるシートの重量が増加した場合に、当該重量センサーが設けられたシート載置部４０へのシートの補充を検出する。
【００４２】
取得処理部５５は、前記給紙条件を充足しているか否かの判断に用いられる特定情報を取得する。
【００４３】
具体的に、前記特定情報は、現在の日時に関する日時情報である。ここで、前記日時情報は、現在の年月日、曜日、時刻、及び季節を示す情報である。例えば、制御部５には、時計機能及びカレンダー機能を有するリアルタイムクロック（不図示）が設けられている。取得処理部５５は、前記リアルタイムクロックから前記日時情報を取得する。なお、前記日時情報は、現在の年月日、曜日、時刻、及び季節のいずれか一つ又は複数を含む情報でもよい。
【００４４】
例えば、取得処理部５５は、前記印刷処理において給紙元となるシート載置部４０がユーザーの操作によって指定された場合であって、当該シート載置部４０に前記給紙条件が設定されている場合に、前記特定情報を取得する。
【００４５】
また、取得処理部５５は、前記印刷処理の実行指示が入力された場合であって、当該印刷処理において給紙元となるシート載置部４０がユーザーの操作によって指定されていない場合に、前記特定情報を取得する。
【００４６】
また、取得処理部５５は、前記印刷処理において給紙元となるシート載置部４０がユーザーの操作によって指定されていない場合であって、当該シート載置部４０に前記給紙条件が設定されている場合に、前記印刷処理の実行中に前記特定情報を取得する。具体的に、取得処理部５５は、前記印刷処理においてシート載置部４０からシートが予め定められた特定枚数搬送されるごとに、前記特定情報を取得する。例えば、前記特定枚数は１枚である。なお、前記特定枚数は、２以上の任意の枚数でもよい。
【００４７】
また、取得処理部５５は、検出処理部５４によってシートの補充が検出された場合であって、シートの補充が検出されたシート載置部４０に記給紙条件が設定されている場合に、前記特定情報を取得する。
【００４８】
判断処理部５６は、前記給紙条件が設定されたシート載置部４０各々について当該シート載置部４０に対応する前記給紙条件を充足するか否かを、取得処理部５５によって取得された前記特定情報に基づいて判断する。
【００４９】
例えば、判断処理部５６は、ユーザーの操作によって前記印刷処理における給紙元として指定されたシート載置部４０に前記給紙条件が設定されている場合に、前記給紙条件が設定されたシート載置部４０各々について当該シート載置部４０に対応する前記給紙条件を充足するか否かを判断する。
【００５０】
また、判断処理部５６は、前記印刷処理の実行指示が入力された場合であって、当該印刷処理において給紙元となるシート載置部４０がユーザーの操作によって指定されていない場合に、前記給紙条件が設定されたシート載置部４０各々について、当該シート載置部４０に対応する前記給紙条件を充足するか否かを判断する。
【００５１】
また、判断処理部５６は、前記印刷処理において給紙元となるシート載置部４０がユーザーの操作によって指定されていない場合であって、当該シート載置部４０に前記給紙条件が設定されている場合に、前記印刷処理の実行中に、前記給紙条件が設定されたシート載置部４０各々について当該シート載置部４０に対応する前記給紙条件を充足するか否かを判断する。具体的に、判断処理部５６は、前記印刷処理においてシート載置部４０からシートが前記特定枚数搬送されるごとに、前記給紙条件が設定されたシート載置部４０各々について当該シート載置部４０に対応する前記給紙条件を充足するか否かを判断する。
【００５２】
また、判断処理部５６は、検出処理部５４によってシートの補充が検出されたシート載置部４０に前記給紙条件が設定されている場合に、前記給紙条件が設定されたシート載置部４０各々について当該シート載置部４０に対応する前記給紙条件を充足するか否かを判断する。
【００５３】
給紙元設定部５７は、ユーザーの操作によって前記印刷処理における給紙元となるシート載置部４０が指定された場合に、当該指定に係るシート載置部４０を給紙元として設定する。
【００５４】
例えば、給紙元設定部５７は、ユーザーの操作によって指定されたシート載置部４０の識別に用いられる情報を、前記ＲＡＭにおける予め定められた第３記憶領域に格納する。
【００５５】
また、給紙元設定部５７は、前記印刷処理の実行指示が入力された場合であって、当該印刷処理において給紙元となるシート載置部４０がユーザーの操作によって指定されていない場合に、判断処理部５６によって前記給紙条件を充足すると判断されたシート載置部４０を当該印刷処理における給紙元として設定する。
【００５６】
例えば、給紙元設定部５７は、判断処理部５６によって前記給紙条件を充足すると判断されたシート載置部４０の識別に用いられる情報を、前記ＲＡＭにおける前記第３記憶領域とは異なる第４記憶領域に格納する。
【００５７】
ここで、給紙元設定部５７は、判断処理部５６によって前記給紙条件を充足すると判断されたシート載置部４０が存在しない場合に、前記給紙条件が設定されていないシート載置部４０を給紙元として設定する。この場合、給紙元設定部５７は、前記給紙条件が設定されていないシート載置部４０の識別に用いられる情報を、前記ＲＡＭにおける前記第４記憶領域に格納する。なお、給紙元設定部５７は、前記給紙条件が設定されていないシート載置部４０が複数存在する場合は、前記給紙条件が設定されていない複数のシート載置部４０のいずれか一つを給紙元として設定してよい。
【００５８】
また、給紙元設定部５７は、判断処理部５６によって前記給紙条件を充足すると判断されたシート載置部４０が存在しない場合であって、前記給紙条件が設定されていないシート載置部４０が存在しない場合に、ユーザーの操作によって指定されたシート載置部４０を給紙元として設定する。この場合、給紙元設定部５７は、ユーザーの操作によって指定されたシート載置部４０の識別に用いられる情報を、前記ＲＡＭにおける前記第３記憶領域に格納する。
【００５９】
なお、給紙元設定部５７は、判断処理部５６によって前記給紙条件を充足すると判断されたシート載置部４０が存在しない場合に、その旨を報知して前記印刷処理の実行を保留してもよい。また、給紙元設定部５７は、判断処理部５６によって前記給紙条件を充足すると判断されたシート載置部４０が存在しない場合であって、前記給紙条件が設定されていないシート載置部４０が存在しない場合に、その旨を報知して前記印刷処理の実行を保留してもよい。
【００６０】
印刷処理部５８は、前記印刷処理を実行する。ここで、印刷処理部５８は、給紙元設定部５７によって給紙元として設定されたシート載置部４０からシートを供給する。ここに、給紙元設定部５７及び印刷処理部５８が、本発明における供給処理部の一例である。
【００６１】
第２報知処理部５９は、ユーザーの操作によって給紙元として指定されたシート載置部４０について、判断処理部５６によって当該シート載置部４０に対応する前記給紙条件を充足しないと判断された場合に、その旨及び前記給紙条件を充足する他のシート載置部４０を報知する。
【００６２】
例えば、第２報知処理部５９は、ユーザーの操作によって給紙元として指定されたシート載置部４０について当該シート載置部４０に対応する前記給紙条件を充足しない旨を示す第２メッセージを操作表示部７に表示させる。また、第２報知処理部５９は、前記第２メッセージと共に、前記給紙条件を充足する他のシート載置部４０を識別可能な情報を操作表示部７に表示させる。
【００６３】
なお、制御部５は、第２報知処理部５９を含んでいなくてもよい。
【００６４】
第３報知処理部６０は、検出処理部５４によってシートの補充が検出されたシート載置部４０について、判断処理部５６によって当該シート載置部４０に対応する前記給紙条件を充足しないと判断された場合に、その旨及び前記給紙条件を充足する他のシート載置部４０を報知する。
【００６５】
例えば、第３報知処理部６０は、シートの補充が検出されたシート載置部４０について当該シート載置部４０に対応する前記給紙条件を充足しない旨を示す第３メッセージを操作表示部７に表示させる。また、第３報知処理部６０は、前記第３メッセージと共に、前記給紙条件を充足する他のシート載置部４０を識別可能な情報を操作表示部７に表示させる。
【００６６】
なお、制御部５は、検出処理部５４及び第３報知処理部６０を含んでいなくてもよい。
【００６７】
切替処理部６１は、前記印刷処理の実行中に給紙元であるシート載置部４０について当該シート載置部４０に対応する前記給紙条件を充足しないと判断された場合に、前記印刷処理の実行中に給紙元を前記給紙条件を充足する他のシート載置部４０に切り替え可能である。
【００６８】
例えば、切替処理部６１は、前記印刷処理の実行中における給紙元の切替機能が有効に設定されている場合に、給紙元を切り替える。一方、切替処理部６１は、前記印刷処理の実行中における給紙元の切替機能が無効に設定されている場合には、給紙元を切り替えない。なお、前記印刷処理の実行中における給紙元の切替機能の有効無効は、操作表示部７におけるユーザーの操作に応じて設定可能である。
【００６９】
受付処理部６２は、前記印刷処理の実行中に給紙元であるシート載置部４０について当該シート載置部４０に対応する前記給紙条件を充足しないと判断された場合であって、前記給紙条件を充足する他のシート載置部４０が存在しない場合に、前記印刷処理を中断させて給紙元となるシート載置部４０を指定するユーザーの操作を受け付ける。
【００７０】
なお、制御部５は、受付処理部６２を含んでいなくてもよい。この場合、制御部５は、前記印刷処理の実行を中止して、前記給紙条件を充足するシート載置部４０が存在しない旨を報知してよい。また、制御部５は、切替処理部６１及び受付処理部６２を含んでいなくてもよい。
【００７１】
［給紙条件設定処理］
以下、図３を参照しつつ、画像形成装置１０において制御部５により実行される給紙条件設定処理の手順の一例について説明する。ここで、ステップＳ１１、Ｓ１２・・・は、制御部５により実行される処理手順（ステップ）の番号を表している。なお、前記給紙条件設定処理は、操作表示部７において前記条件設定画面の表示を指示する旨のユーザーの操作が行われた場合に実行される。
【００７２】
＜ステップＳ１１＞
まず、ステップＳ１１において、制御部５は、前記条件設定画面を操作表示部７に表示させる。
【００７３】
＜ステップＳ１２＞
ステップＳ１２において、制御部５は、ステップＳ１１で表示された前記条件設定画面で入力内容を確定させる操作が行われたか否かを判断する。
【００７４】
ここで、制御部５は、前記条件設定画面で入力内容を確定させる操作が行われたと判断すると（Ｓ１２のＹｅｓ側）、処理をステップＳ１３に移行させる。また、前記条件設定画面で入力内容を確定させる操作が行われていなければ（Ｓ１２のＮｏ側）、制御部５は、ステップＳ１２で前記条件設定画面において入力内容を確定させる操作が行われるのを待ち受ける。
【００７５】
＜ステップＳ１３＞
ステップＳ１３において、制御部５は、前記条件設定画面における入力内容に基づいて、シート載置部４０に前記給紙条件を設定する。ここで、ステップＳ１１〜ステップＳ１３の処理は、制御部５の設定処理部５１により実行される。
【００７６】
例えば、制御部５は、給紙カセット４１に前記給紙条件が設定される場合は、前記条件設定画面で入力された前記給紙条件の内容を示す情報を記憶部８の前記第１記憶領域に格納する。また、制御部５は、手差しトレイ４２に前記給紙条件が設定される場合は、前記条件設定画面で入力された前記給紙条件の内容を示す情報を記憶部８の前記第２記憶領域に格納する。
【００７７】
＜ステップＳ１４＞
ステップＳ１４において、制御部５は、ステップＳ１３で設定された前記給紙条件が他のシート載置部４０に対応する前記給紙条件と重複するか否かを判断する。
【００７８】
ここで、制御部５は、ステップＳ１３で設定された前記給紙条件が他のシート載置部４０に対応する前記給紙条件と重複すると判断すると（Ｓ１４のＹｅｓ側）、処理をステップＳ１５に移行させる。また、ステップＳ１３で設定された前記給紙条件が他のシート載置部４０に対応する前記給紙条件と重複しなければ（Ｓ１４のＮｏ側）、制御部５は、前記給紙条件設定処理を終了させる。
【００７９】
＜ステップＳ１５＞
ステップＳ１５において、制御部５は、ステップＳ１３で設定された前記給紙条件が他のシート載置部４０に対応する前記給紙条件と重複する旨を報知する第１報知処理を実行する。ここで、ステップＳ１５の処理は、制御部５の第１報知処理部５２により実行される。
【００８０】
例えば、制御部５は、前記第１報知処理において、前記第１メッセージと共に、互いの前記給紙条件が重複する二つのシート載置部４０各々の前記給紙条件の内容を操作表示部７に表示させる。これにより、ユーザーに、いずれか一方の前記給紙条件の変更を促して、前記給紙条件の重複状態を解消させることが可能である。
【００８１】
＜ステップＳ１６＞
ステップＳ１６において、制御部５は、前記選択操作が行われたか否かを判断する。
【００８２】
例えば、制御部５は、ステップＳ１５で表示された二つのシート載置部４０各々の前記給紙条件の内容のいずれかを選択する操作が行われた場合に、前記選択操作が行われたと判断する。
【００８３】
ここで、制御部５は、前記選択操作が行われたと判断すると（Ｓ１６のＹｅｓ側）、処理をステップＳ１７に移行させる。また、前記選択操作が行われていなければ（Ｓ１６のＮｏ側）、制御部５は、ステップＳ１６で前記選択操作が行われるのを待ち受ける。
【００８４】
＜ステップＳ１７＞
ステップＳ１７において、制御部５は、前記選択操作に応じて、いずれか一方のシート載置部４０に対応する前記給紙条件から他方のシート載置部４０に対応する前記給紙条件と重複する部分を除外する。ここで、ステップＳ１７の処理は、制御部５の変更処理部５３により実行される。
【００８５】
例えば、制御部５は、前記選択操作で選択されたシート載置部４０の前記給紙条件から他方のシート載置部４０に対応する前記給紙条件と重複する部分を除外する。これにより、互いの前記給紙条件が重複する二つのシート載置部４０のいずれか一方の前記給紙条件を変更するユーザーの操作の手間が軽減される。
【００８６】
なお、前記給紙条件設定処理において、ステップＳ１６及びステップＳ１７の処理は省略されてもよい。また、前記給紙条件設定処理において、ステップＳ１４〜ステップＳ１７の処理は省略されてもよい。また、画像形成装置１０において、前記給紙条件設定処理は実行されなくてもよい。
【００８７】
［第１給紙元設定処理］
次に、図４を参照しつつ、画像形成装置１０において制御部５により実行される第１給紙元設定処理の手順の一例について説明する。
【００８８】
＜ステップＳ２１＞
まず、ステップＳ２１において、制御部５は、前記印刷処理が実行される場合に給紙元となるシート載置部４０を指定するユーザーの操作が行われたか否かを判断する。なお、当該ユーザーの操作は、操作表示部７において行われてもよいし、画像形成装置１０と通信可能に接続された外部の情報処理装置において行われてもよい。
【００８９】
ここで、制御部５は、給紙元となるシート載置部４０を指定するユーザーの操作が行われたと判断すると（Ｓ２１のＹｅｓ側）、処理をステップＳ２２に移行させる。また、給紙元となるシート載置部４０を指定するユーザーの操作が行われていなければ（Ｓ２１のＮｏ側）、制御部５は、ステップＳ２１で給紙元となるシート載置部４０を指定するユーザーの操作が行われるのを待ち受ける。
【００９０】
＜ステップＳ２２＞
ステップＳ２２において、制御部５は、ユーザーの操作によって指定されたシート載置部４０を、前記印刷処理が実行される場合に給紙元となるシート載置部４０として設定する。ここで、ステップＳ２２の処理は、制御部５の給紙元設定部５７により実行される。
【００９１】
例えば、制御部５は、ユーザーの操作によって指定されたシート載置部４０の識別に用いられる情報を、前記ＲＡＭにおける前記第３記憶領域に格納する。なお、前記第３記憶領域に格納される情報は、前記印刷処理が終了した場合に消去されてよい。
【００９２】
＜ステップＳ２３＞
ステップＳ２３において、制御部５は、ステップＳ２２で給紙元として設定されたシート載置部４０に前記給紙条件が設定されているか否かを判断する。
【００９３】
ここで、制御部５は、ステップＳ２２で給紙元として設定されたシート載置部４０に前記給紙条件が設定されていると判断すると（Ｓ２３のＹｅｓ側）、処理をステップＳ２４に移行させる。また、ステップＳ２２で給紙元として設定されたシート載置部４０に前記給紙条件が設定されていなければ（Ｓ２３のＮｏ側）、制御部５は、処理をステップＳ２１に移行させる。
【００９４】
＜ステップＳ２４＞
ステップＳ２４において、制御部５は、前記特定情報を取得する。具体的に、制御部５は、前記日時情報を取得する。ここで、ステップＳ２４の処理は、制御部５の取得処理部５５により実行される。
【００９５】
＜ステップＳ２５＞
ステップＳ２５において、制御部５は、ステップＳ２４で取得された前記特定情報に基づいて、前記給紙条件が設定されたシート載置部４０各々について、当該シート載置部４０に対応する前記給紙条件を充足するか否かを判断する。ここで、ステップＳ２５の処理は、制御部５の判断処理部５６により実行される。
【００９６】
＜ステップＳ２６＞
ステップＳ２６において、制御部５は、ステップＳ２５における判断結果に基づいて、ステップＳ２２で給紙元として設定されたシート載置部４０に設定されている前記給紙条件を充足するか否かを判断する。
【００９７】
ここで、制御部５は、ステップＳ２２で給紙元として設定されたシート載置部４０に設定されている前記給紙条件を充足すると判断すると（Ｓ２６のＹｅｓ側）、処理をステップＳ２１に移行させる。また、ステップＳ２２で給紙元として設定されたシート載置部４０に設定されている前記給紙条件を充足しなければ（Ｓ２６のＮｏ側）、制御部５は、処理をステップＳ２７に移行させる。
【００９８】
＜ステップＳ２７＞
ステップＳ２７において、制御部５は、ステップＳ２２で給紙元として設定されたシート載置部４０について当該シート載置部４０に設定されている前記給紙条件を充足しない旨を報知する第２報知処理を実行する。ここで、ステップＳ２７の処理は、制御部５の第２報知処理部５９により実行される。
【００９９】
例えば、制御部５は、前記第２報知処理において、前記第２メッセージと共に、前記給紙条件を充足する他のシート載置部４０を識別可能な情報を操作表示部７に表示させる。これにより、ユーザーに、給紙元となるシート載置部４０の指定の再考を促すことが可能である。
【０１００】
なお、前記第１給紙元設定処理において、ステップＳ２３〜ステップＳ２７の処理は省略されてもよい。
【０１０１】
［第２給紙元設定処理］
次に、図５を参照しつつ、画像形成装置１０において制御部５により実行される第２給紙元設定処理の手順の一例について説明する。
【０１０２】
＜ステップＳ３１＞
まず、ステップＳ３１において、制御部５は、前記印刷処理の実行指示が入力されたか否かを判断する。
【０１０３】
ここで、制御部５は、前記印刷処理の実行指示が入力されたと判断すると（Ｓ３１のＹｅｓ側）、処理をステップＳ３２に移行させる。また、前記印刷処理の実行指示が入力されていなければ（Ｓ３１のＮｏ側）、制御部５は、ステップＳ３１で前記印刷処理の実行指示が入力されるのを待ち受ける。
【０１０４】
＜ステップＳ３２＞
ステップＳ３２において、制御部５は、前記印刷処理において給紙元となるシート載置部４０がユーザーの操作によって設定済であるか否かを判断する。
【０１０５】
例えば、制御部５は、前記ＲＡＭにおける前記第３記憶領域にシート載置部４０の識別に用いられる情報が格納されている場合に、給紙元となるシート載置部４０がユーザーの操作によって設定済であると判断する。
【０１０６】
ここで、制御部５は、給紙元となるシート載置部４０がユーザーの操作によって設定済であると判断すると（Ｓ３２のＹｅｓ側）、処理をステップＳ３７に移行させる。また、給紙元となるシート載置部４０がユーザーの操作によって設定されていなければ（Ｓ３２のＮｏ側）、制御部５は、処理をステップＳ３３に移行させる。
【０１０７】
＜ステップＳ３３＞
ステップＳ３３において、制御部５は、前記第１給紙元設定処理のステップＳ２４と同様に、前記特定情報を取得する。ここで、ステップＳ３３の処理は、制御部５の取得処理部５５により実行される。
【０１０８】
＜ステップＳ３４＞
ステップＳ３４において、制御部５は、ステップＳ３３で取得された前記特定情報に基づいて、前記給紙条件が設定されたシート載置部４０各々について、当該シート載置部４０に対応する前記給紙条件を充足するか否かを判断する。ここで、ステップＳ３４の処理は、制御部５の判断処理部５６により実行される。
【０１０９】
＜ステップＳ３５＞
ステップＳ３５において、制御部５は、ステップＳ３４における判断結果に基づいて、前記給紙条件を充足するシート載置部４０が存在するか否かを判断する。
【０１１０】
ここで、制御部５は、前記給紙条件を充足するシート載置部４０が存在すると判断すると（Ｓ３５のＹｅｓ側）、処理をステップＳ３６に移行させる。また、前記給紙条件を充足するシート載置部４０が存在していなければ（Ｓ３５のＮｏ側）、制御部５は、処理をステップＳ３５１に移行させる。
【０１１１】
＜ステップＳ３６＞
ステップＳ３６において、制御部５は、前記給紙条件を充足するシート載置部４０を前記印刷処理における給紙元として設定する。ここで、ステップＳ３６の処理は、制御部５の給紙元設定部５７により実行される。
【０１１２】
例えば、制御部５は、前記給紙条件を充足するシート載置部４０の識別に用いられる情報を、前記ＲＡＭにおける前記第４記憶領域に格納する。なお、前記第４記憶領域に格納される情報は、前記印刷処理が終了した場合に消去されてよい。
【０１１３】
なお、制御部５は、前記給紙条件を充足するシート載置部４０が複数存在する場合は、いずれか一つのシート載置部４０を給紙元として設定してもよいし、エラーを報知してもよい。
【０１１４】
＜ステップＳ３７＞
ステップＳ３７において、制御部５は、後段で説明する前記印刷処理を実行する。
【０１１５】
＜ステップＳ３５１＞
ステップＳ３５１において、制御部５は、ステップＳ３４における判断結果に基づいて、前記給紙条件が設定されていないシート載置部４０が存在するか否かを判断する。
【０１１６】
ここで、制御部５は、前記給紙条件が設定されていないシート載置部４０が存在すると判断すると（Ｓ３５１のＹｅｓ側）、処理をステップＳ３５２に移行させる。また、前記給紙条件が設定されていないシート載置部４０が存在しなければ（Ｓ３５１のＮｏ側）、制御部５は、処理をステップＳ３５３に移行させる。
【０１１７】
＜ステップＳ３５２＞
ステップＳ３５２において、制御部５は、前記給紙条件が設定されていないシート載置部４０を前記印刷処理における給紙元として設定する。ここで、ステップＳ３５２の処理は、制御部５の給紙元設定部５７により実行される。
【０１１８】
例えば、制御部５は、前記給紙条件が設定されていないシート載置部４０の識別に用いられる情報を、前記ＲＡＭにおける前記第４記憶領域に格納する。これにより、ユーザーは、常にいずれかのシート載置部４０が前記給紙条件を充足するように、シート載置部４０各々に前記給紙条件を設定する必要がない。
【０１１９】
＜ステップＳ３５３＞
ステップＳ３５３において、制御部５は、前記印刷処理における給紙元の指定に用いられる指定画面を操作表示部７に表示させる。
【０１２０】
例えば、前記指定画面において、ユーザーは、画像形成装置１０の備える全てのシート載置部４０から、給紙元となるシート載置部４０を指定可能である。
【０１２１】
＜ステップＳ３５４＞
ステップＳ３５４において、制御部５は、ステップＳ３５３で表示された前記指定画面において、給紙元となるシート載置部４０が指定されたか否かを判断する。
【０１２２】
ここで、制御部５は、給紙元となるシート載置部４０が指定されたと判断すると（Ｓ３５４のＹｅｓ側）、処理をステップＳ３５５に移行させる。また、給紙元となるシート載置部４０が指定されていなければ（Ｓ３５４のＮｏ側）、制御部５は、ステップＳ３５４で給紙元となるシート載置部４０が指定されるのを待ち受ける。
【０１２３】
＜ステップＳ３５５＞
ステップＳ３５５において、制御部５は、ユーザーの操作によって指定されたシート載置部４０を、前記印刷処理における給紙元として設定する。ここで、ステップＳ３５３〜ステップＳ３５５の処理は、制御部５の給紙元設定部５７により実行される。
【０１２４】
例えば、制御部５は、ユーザーの操作によって指定されたシート載置部４０の識別に用いられる情報を前記ＲＡＭにおける前記第３記憶領域に格納する。これにより、前記給紙条件を充足するシート載置部４０が存在せず、且つ前記給紙条件が設定されていないシート載置部４０も存在しない場合に、印刷を行えなくなることが回避される。
【０１２５】
なお、制御部５は、ステップＳ３５３〜ステップＳ３５５の処理に替えて、前記給紙条件を充足するシート載置部４０が存在しないため印刷することができない旨を報知してもよい。また、前記第２給紙元設定処理において、ステップＳ３５１〜ステップＳ３５５の処理は省略されてもよい。
【０１２６】
［印刷処理］
次に、図６を参照しつつ、前記第２給紙元設定処理のステップＳ３７で実行される前記印刷処理の手順の一例について説明する。
【０１２７】
＜ステップＳ４１＞
まず、ステップＳ４１において、制御部５は、画像形成部３及び給紙部４を用いて、給紙元として設定されたシート載置部４０から前記特定枚数のシートを順次搬送させるとともに、搬送されるシート各々に画像データに基づく画像を印刷させる。ここに、ステップＳ４１の処理は、制御部５の印刷処理部５８により実行される。
【０１２８】
＜ステップＳ４２＞
ステップＳ４２において、制御部５は、前記印刷処理で印刷される全ての画像が印刷されたか否かを判断する。
【０１２９】
ここで、制御部５は、前記印刷処理で印刷される全ての画像が印刷されたと判断すると（Ｓ４２のＹｅｓ側）、前記印刷処理を終了させる。また、前記印刷処理で印刷される全ての画像が印刷されていなければ（Ｓ４２のＮｏ側）、制御部５は、処理をステップＳ４３に移行させる。
【０１３０】
＜ステップＳ４３＞
ステップＳ４３において、制御部５は、給紙元であるシート載置部４０が自動で設定されたものであるか否かを判断する。
【０１３１】
例えば、制御部５は、シート載置部４０の識別に用いられる情報が前記ＲＡＭにおける前記第３記憶領域に格納されている場合に、給紙元であるシート載置部４０が自動で設定されたものであると判断する。
【０１３２】
ここで、制御部５は、給紙元であるシート載置部４０が自動で設定されたものであると判断すると（Ｓ４３のＹｅｓ側）、処理をステップＳ４４に移行させる。また、給紙元であるシート載置部４０が自動で設定されたものでなければ（Ｓ４３のＮｏ側）、制御部５は、処理をステップＳ４１に移行させる。
【０１３３】
＜ステップＳ４４＞
ステップＳ４４において、制御部５は、給紙元であるシート載置部４０に前記給紙条件が設定されているか否かを判断する。
【０１３４】
ここで、制御部５は、給紙元であるシート載置部４０に前記給紙条件が設定されていると判断すると（Ｓ４４のＹｅｓ側）、処理をステップＳ４５に移行させる。また、給紙元であるシート載置部４０に前記給紙条件が設定されていなければ（Ｓ４４のＮｏ側）、制御部５は、処理をステップＳ４１に移行させる。
【０１３５】
＜ステップＳ４５＞
ステップＳ４５において、制御部５は、前記印刷処理の実行中における給紙元の切替機能が有効に設定されているか否かを判断する。
【０１３６】
ここで、制御部５は、前記印刷処理の実行中における給紙元の切替機能が有効に設定されていると判断すると（Ｓ４５のＹｅｓ側）、処理をステップＳ４６に移行させる。また、前記印刷処理の実行中における給紙元の切替機能が有効に設定されていなければ（Ｓ４５のＮｏ側）、制御部５は、処理をステップＳ４１に移行させる。
【０１３７】
＜ステップＳ４６＞
ステップＳ４６において、制御部５は、前記第１給紙元設定処理のステップＳ２４と同様に、前記特定情報を取得する。ここで、ステップＳ４６の処理は、制御部５の取得処理部５５により実行される。
【０１３８】
＜ステップＳ４７＞
ステップＳ４７において、制御部５は、ステップＳ４６で取得された前記特定情報に基づいて、前記給紙条件が設定されたシート載置部４０各々について、当該シート載置部４０に対応する前記給紙条件を充足するか否かを判断する。ここで、ステップＳ４７の処理は、制御部５の判断処理部５６により実行される。
【０１３９】
＜ステップＳ４８＞
ステップＳ４８において、制御部５は、ステップＳ４７における判断結果に基づいて、給紙元であるシート載置部４０に設定されている前記給紙条件を充足するか否かを判断する。
【０１４０】
ここで、制御部５は、給紙元であるシート載置部４０に設定されている前記給紙条件を充足すると判断すると（Ｓ４８のＹｅｓ側）、処理をステップＳ４１に移行させる。また、給紙元であるシート載置部４０に設定されている前記給紙条件を充足しなければ（Ｓ４８のＮｏ側）、制御部５は、処理をステップＳ４９に移行させる。
【０１４１】
＜ステップＳ４９＞
ステップＳ４９において、制御部５は、ステップＳ４７における判断結果に基づいて、前記給紙条件を充足するシート載置部４０が存在するか否かを判断する。
【０１４２】
ここで、制御部５は、前記給紙条件を充足するシート載置部４０が存在すると判断すると（Ｓ４９のＹｅｓ側）、処理をステップＳ５０に移行させる。また、前記給紙条件を充足するシート載置部４０が存在しなければ（Ｓ４９のＮｏ側）、制御部５は、処理をステップＳ４９１に移行させる。
【０１４３】
＜ステップＳ５０＞
ステップＳ５０において、制御部５は、給紙元を前記給紙条件を充足するシート載置部４０に切り替える。ここで、ステップＳ５０の処理は、制御部５の切替処理部６１により実行される。
【０１４４】
例えば、制御部５は、前記給紙条件を充足するシート載置部４０の識別に用いられる情報を前記ＲＡＭにおける前記第４記憶領域に格納する。
【０１４５】
＜ステップＳ４９１＞
ステップＳ４９１において、制御部５は、前記第２給紙元設定処理のステップＳ３５３と同様に、前記指定画面を操作表示部７に表示させる。ここで、ステップＳ４９１の処理は、制御部５の受付処理部６２により実行される。
【０１４６】
＜ステップＳ４９２＞
ステップＳ４９２において、制御部５は、ステップＳ４９１で表示された前記指定画面において、給紙元となるシート載置部４０が指定されたか否かを判断する。
【０１４７】
ここで、制御部５は、給紙元となるシート載置部４０が指定されたと判断すると（Ｓ４９２のＹｅｓ側）、処理をステップＳ４９３に移行させる。また、給紙元となるシート載置部４０が指定されていなければ（Ｓ４９２のＮｏ側）、制御部５は、ステップＳ４９２で給紙元となるシート載置部４０が指定されるのを待ち受ける。
【０１４８】
＜ステップＳ４９３＞
ステップＳ４９３において、制御部５は、ユーザーの操作によって指定されたシート載置部４０を、前記印刷処理における給紙元として設定する。
【０１４９】
例えば、制御部５は、ユーザーの操作によって指定されたシート載置部４０の識別に用いられる情報を前記ＲＡＭにおける前記第３記憶領域に格納する。これにより、前記給紙条件を充足するシート載置部４０が存在しない場合に、印刷を行えなくなることが回避される。
【０１５０】
なお、制御部５は、ステップＳ４９１〜ステップＳ４９３の処理に替えて、前記給紙条件を充足するシート載置部４０が存在しないため印刷することができない旨を報知してもよい。また、前記印刷処理において、ステップＳ４３〜ステップＳ５０、及びステップＳ４９１〜ステップＳ４９３の処理は省略されてもよい。
【０１５１】
［補充監視処理］
次に、図７を参照しつつ、画像形成装置１０において制御部５により実行される補充監視処理の手順の一例について説明する。
【０１５２】
＜ステップＳ６１＞
まず、ステップＳ６１において、制御部５は、いずれかのシート載置部４０へのシートの補充が検出されたか否かを判断する。ここで、ステップＳ６１の処理は、制御部５の検出処理部５４により実行される。
【０１５３】
ここで、制御部５は、いずれかのシート載置部４０へのシートの補充が検出されたと判断すると（Ｓ６１のＹｅｓ側）、処理をステップＳ６２に移行させる。また、いずれかのシート載置部４０へのシートの補充が検出されていなければ（Ｓ６１のＮｏ側）、制御部５は、ステップＳ６１でいずれかのシート載置部４０へのシートの補充が検出されるのを待ち受ける。
【０１５４】
＜ステップＳ６２＞
ステップＳ６２において、制御部５は、ステップＳ６１でシートの補充が検出されたシート載置部４０に前記給紙条件が設定されているか否かを判断する。
【０１５５】
ここで、制御部５は、シートの補充が検出されたシート載置部４０に前記給紙条件が設定されていると判断すると（Ｓ６２のＹｅｓ側）、処理をステップＳ６３に移行させる。また、シートの補充が検出されたシート載置部４０に前記給紙条件が設定されていなければ（Ｓ６２のＮｏ側）、制御部５は、処理をステップＳ６１に移行させる。
【０１５６】
＜ステップＳ６３＞
ステップＳ６３において、制御部５は、前記第１給紙元設定処理のステップＳ２４と同様に、前記特定情報を取得する。ここで、ステップＳ６３の処理は、制御部５の取得処理部５５により実行される。
【０１５７】
＜ステップＳ６４＞
ステップＳ６４において、制御部５は、ステップＳ６３で取得された前記特定情報に基づいて、前記給紙条件が設定されたシート載置部４０各々について、当該シート載置部４０に対応する前記給紙条件を充足するか否かを判断する。ここで、ステップＳ６４の処理は、制御部５の判断処理部５６により実行される。
【０１５８】
＜ステップＳ６５＞
ステップＳ６５において、制御部５は、ステップＳ６４における判断結果に基づいて、ステップＳ６１でシートの補充が検出されたシート載置部４０に設定されている前記給紙条件を充足するか否かを判断する。
【０１５９】
ここで、制御部５は、シートの補充が検出されたシート載置部４０に設定されている前記給紙条件を充足すると判断すると（Ｓ６５のＹｅｓ側）、処理をステップＳ６１に移行させる。また、シートの補充が検出されたシート載置部４０に設定されている前記給紙条件を充足しなければ（Ｓ６５のＮｏ側）、制御部５は、処理をステップＳ６６に移行させる。
【０１６０】
＜ステップＳ６６＞
ステップＳ６６において、制御部５は、ステップＳ６１でシートの補充が検出されたシート載置部４０について当該シート載置部４０に設定されている前記給紙条件を充足しない旨を報知する第３報知処理を実行する。ここで、ステップＳ６６の処理は、制御部５の第３報知処理部６０により実行される。
【０１６１】
例えば、制御部５は、前記第３報知処理において、前記第３メッセージと共に、前記給紙条件を充足する他のシート載置部４０を識別可能な情報を操作表示部７に表示させる。これにより、ユーザーに、シートの補充先の再考を促すことが可能である。
【０１６２】
なお、画像形成装置１０において、前記補充監視処理は実行されなくてもよい。
【０１６３】
このように、画像形成装置１０では、複数のシート載置部４０に個別に前記給紙条件を設定することが可能である。そして、画像形成装置１０では、前記印刷処理が実行される場合において、ユーザーによって給紙元であるシート載置部４０が指定されていない場合に、前記給紙条件を充足するシート載置部４０が給紙元として設定される。これにより、予め定められた規則に従って給紙元を切り替える場合に生じるユーザーの手間を軽減することが可能である。
【０１６４】
なお、前記給紙条件は、現在の気象に関する条件であってもよい。例えば、前記給紙条件は、現在の気象が晴れ、曇り、雨のいずれかであること、であってもよい。また、前記給紙条件は、現在の気温が予め定められた第１基準値以下であって、且つ現在の湿度が予め定められた第２基準値以下であること、であってもよい。
【０１６５】
この場合、前記特定情報は、現在の気象に関する気象情報である。ここで、前記気象情報は、現在の天気、気温、湿度を示す情報である。例えば、取得処理部５５は、画像形成装置１０と通信可能に接続された外部の情報処理装置から、前記気象情報を取得する。
【０１６６】
また、前記給紙条件は、ユーザーに関する条件であってもよい。例えば、前記給紙条件は、画像形成装置１０にログインしたユーザーが予め定められたグループに所属していること、であってもよい。また、前記給紙条件は、画像形成装置１０にログインしたユーザーが予め定められた特定ユーザーであること、であってもよい。
【０１６７】
この場合、前記特定情報は、ユーザーに関するユーザー情報である。ここで、前記ユーザー情報は、ユーザーの識別情報、及び会社の部署のようなユーザーの所属するグループに関する情報などである。例えば、前記ユーザー情報は、画像形成装置１０へのログインに用いられるログイン情報と共に、予め記憶部８に格納される。例えば、取得処理部５５は、画像形成装置１０にログインしているユーザーを特定して、特定されたユーザーに対応する前記ユーザー情報を記憶部８から取得する。
【０１６８】
また、本発明は、供給されるシートに対して裁断処理などの所定の処理を実行するシート処理装置に接続された給紙装置に適用されてもよい。
【符号の説明】
【０１６９】
１    ＡＤＦ
２    画像読取部
３    画像形成部
４    給紙部
５    制御部
７    操作表示部
８    記憶部
１０  画像形成装置
４０  シート載置部
４１  給紙カセット
４２  手差しトレイ
５１  設定処理部
５２  第１報知処理部
５３  変更処理部
５４  検出処理部
５５  取得処理部
５６  判断処理部
５７  給紙元設定部
５８  印刷処理部
５９  第２報知処理部
６０  第３報知処理部
６１  切替処理部
６２  受付処理部
【図１】
2019147665.tif 000003
【図２】
2019147665.tif 000004
【図３】
2019147665.tif 000005
【図４】
2019147665.tif 000006
【図５】
2019147665.tif 000007
【図６】
2019147665.tif 000008
【図７】
2019147665.tif 000009